(57)【特許請求の範囲】
【請求項１】
通信記録等のリスト情報を記憶する記憶手段と、記憶されたリスト情報のサイズ縮小有無を設定する第１設定手段と、記憶されたリスト情報の向きの９０度回転有無を設定する第２設定手段と、それらの設定に基づいてリスト情報を縮小して且つ９０度回転させた態様で記録紙上に印字させる制御手段とを備えたファクシミリ装置。
【請求項２】
請求項１に記載のファクシミリ装置において、前記制御手段は所定サイズの記録紙の有無を検出するセンサを含み、そのセンサの検出に基づいて制御手段の動作が決定されるファクシミリ装置。
【発明の詳細な説明】
【０００１】
【産業上の利用分野】
この発明は、送受信における通信記録や短縮ダイヤル等のリスト情報を印字するようにしたファクシミリ装置に関するものである。
【０００２】
【従来の技術】
この種のファクシミリ装置において、メモリに記憶された通信記録等のリスト情報を印字する際に、装置内に小さい記録紙しか残っていない場合には、１枚の記録紙上にリスト情報の全内容を印字することができないことがある。このような場合、従来のファクシミリ装置では、リスト情報を分割して複数の記録紙に分けて印字したり、リスト情報をその文字間隔や行間隔を狭めた状態で１枚の記録紙上に印字したりしていた。
【０００３】
【発明が解決しようとする課題】
ところが、前者の分割印字の場合においては、複数枚の記録紙を消費するために不経済であるとともに、リスト情報が複数の記録紙に分かれて表示されるために煩雑であるという問題があった。また、後者の場合においては、文字間隔や行間隔が狭められて文字が密集するために見ずらいという問題があった。
【０００４】
この発明は、このような従来の技術に存在する問題点に着目してなされたものである。その目的とするところは、リスト情報を１枚の記録紙上に、見やすい状態でまとめて印字することができるファクシミリ装置を提供することにある。
【０００５】
【課題を解決するための手段】
上記の目的を達成するために、請求項１に記載のファクシミリ装置の発明では、通信記録等のリスト情報を記憶する記憶手段と、記憶されたリスト情報のサイズ縮小有無を設定する第１設定手段と、記憶されたリスト情報の向きの９０度回転有無を設定する第２設定手段と、それらの設定に基づいてリスト情報を縮小して且つ９０度回転させた態様で記録紙上に印字させる制御手段とを備えたものである。
【０００６】
請求項２に記載のファクシミリ装置の発明では、請求項１に記載のファクシミリ装置において、前記制御手段は所定サイズの記録紙の有無を検出するセンサを含み、そのセンサの検出に基づいて制御手段の動作が決定されるものである。
【０００８】
【作  用】
請求項１に記載のファクシミリ装置においては、通信記録等のリスト情報が記憶手段に記憶される。記憶されたリスト情報を縮小して印字するか縮小しないで印字するかが、第１設定手段によって予め設定される。また、記憶されたリスト情報を９０度回転させて印字するか回転させないで印字するかが、第２設定手段によって予め設定される。それらの設定に基づいて、制御手段によりリスト情報が縮小されて且つ９０度回転された態様で記録紙上に印字される。
【０００９】
請求項２に記載のファクシミリ装置においては、センサにより所定サイズの記録紙の有無が検出され、その記録紙のサイズに応じて、リスト情報の縮小の有無または９０度回転の有無が自動的に設定される。
【００１１】
【実施例】
以下、この発明の一実施例を、図面に基づいて詳細に説明する。
図１に示すように、ＣＰＵ（中央処理装置）１は制御手段としての制御装置を構成し、このＣＰＵ１には装置全体の動作を制御するためのプログラム等を記憶したＲＯＭ（リードオンリメモリ）２、及び各種情報を一時的に記憶する記憶手段としてのＲＡＭ（ランダムアクセスメモリ）３が接続されている。ＲＯＭ２は文字フォントメモリ２ａを備え、このメモリ２ａには例えば図２に例示するような文字「Ａ」に相当する文字フォント等の多数の文字フォントデータが、ドットマトリクスパターンにて格納されている。この文字フォントデータを基にして通常の大きさの文字が印字される場合には、文字フォントを構成する各ドットの４倍の数の画素が印字される。
【００１２】
前記ＲＡＭ３はリスト文字コードテーブル３ａ、１行文字コードバッファ３ｂ及び１ラインイメージバッファ３ｃを備え、リスト文字コードテーブル３ａには図３に示すようにファクシミリ装置の送受信時における通信記録等のリスト情報が記憶される。１行文字コードバッファ３ｂには、リスト文字コードテーブル３ａから取り出された１行分の文字コードデータが格納される。１ラインイメージバッファ３ｃには、１行文字コードバッファ３ｂにおける各文字のフォントの１ライン分の画素データが格納される。
【００１３】
ＮＣＵ（ネットワークコントロールユニット）４はファクシミリ装置と電話回線との接続を制御する。モデム５は送受信データの変調、復調を行う。読取部６は原稿上の画像を読み取る。記録部７はＣＰＵ１から１ライン毎送られてくる画データに基づいて記録紙上に１ラインずつ印字を行う。記録紙収納部８は大きさの異なった２種類（例えばＡ４サイズ及びＡ５サイズ）のカット記録紙を収納し、これらの記録紙を記録部７に給送する。尚、本実施例において、Ａ４サイズの記録紙はその長辺方向に沿って縦送りされ、Ａ５サイズの記録紙はその短辺方向に沿って横送りされる。制御手段を構成するセンサ８ａ，８ｂは記録紙収納部８内に配設され、各サイズの記録紙の有無をそれぞれ検出する。
【００１４】
表示・操作部９は第１設定手段及び第２設定手段を構成し、各種の設定データ等を入力するための複数の操作キー９ａ、及びメッセージ等を表示するための表示画面９ｂを備えている。そして、この表示・操作部９の操作キー９ａの操作により、ＲＡＭ３のリスト文字コードテーブル３ａに記憶されたリスト情報を１枚の記録紙に縮小して印字するか、縮小しないで複数の記録紙に分割して印字するかが予め設定される。また、同様に表示・操作部９の操作キー９ａの操作により、リスト文字コードテーブル３ａに記憶されたリスト情報の向きを９０度回転させて印字するか、回転させないで印字するかが予め設定される。
【００１５】
次に、前記のように構成されたファクシミリ装置において、ＣＰＵ１により実行されるリスト情報の印字動作を、図４のフローチャートに従って説明する。
さて、ＲＡＭ３のリスト文字コードテーブル３ａに記憶されたリスト情報を印字する際には、まず記録紙収納部８のセンサ８ａからの検出信号により、Ａ４サイズの記録紙が収納されているか否かが判別される（ステップＳ１）。Ａ４サイズの記録紙がある場合には、通常の印字処理ルーチンが実行される。即ち、記録紙収納部８から記録部７にＡ４サイズの記録紙Ｐ１が給送されて、図５（ａ）に示すように、その記録紙Ｐ１上にリスト情報の全内容が、文字サイズを縮小することなく印字される（ステップＳ２）。
【００１６】
一方、前記記録紙収納部８内にＡ４サイズの記録紙がない場合には、センサ８ｂからの検出信号により、Ａ５サイズの記録紙が収納されているか否かが判別される（ステップＳ３）。そして、Ａ５サイズの記録紙もない場合には、表示・操作部９の表示画面９ｂに、例えば「キロクシガ・アリマセン」という表示が行われて、動作が終了する（ステップＳ４）。
【００１７】
それに対して、Ａ５サイズの記録紙がある場合には、表示・操作部９の操作キー９ａによる設定が、リスト情報を縮小して印字するか、縮小しないで分割して印字するかのいずれの設定状態にあるかが判別される（ステップＳ５）。分割印字が設定されている場合には、ＲＡＭ３のリスト文字コードテーブル３ａから横１行分の文字コードデータが取り出されて、１行文字コードバッファ３ｂに格納される（ステップＳ６）。次に、１行文字コードバッファ３ｂにおける各文字のフォントの１ライン分の画素データが４倍にされて、１ラインイメージバッファ３ｃに格納される（ステップＳ７）。
【００１８】
その後、記録紙収納部８から記録部７にＡ５サイズの記録紙Ｐ２が給送され、図５（ｂ）に示すように、１ラインイメージバッファ３ｃの画素データに基づいて、この記録紙Ｐ２上に画素データ１ライン分の印字が行われる（ステップＳ８）。そして、１行文字コードバッファ３ｂにおける文字コードの１行分の印字が終了したか否かが判別され（ステップＳ９）、１行分の印字が終了するまではステップＳ７〜Ｓ９の動作が繰り返し行われる。
【００１９】
１行分の印字が終了すると、次に、リスト文字コードテーブル３ａにおける全行分の印字が終了したか否かが判別され（ステップＳ１０）、全行分の印字が終了した場合には、装置の印字動作が終了する。これに対して、全行分の印字が終了していない場合には、記録紙Ｐ２の大きさのデータと印字が終了した行数のデータとに基づき、記録紙Ｐ２上に記録領域が残っているか否かが判別される（ステップＳ１１）。そして、記録領域が残っている間はステップＳ６〜Ｓ１１の動作が繰り返されて、記録紙Ｐ２上に１ライン分ずつ印字が行われる。
【００２０】
また、前記記録紙Ｐ２上に記録領域が存在しなくなった場合には、記録紙収納部８から記録部７に新たな記録紙Ｐ２が給送される（ステップＳ１２）。その後、ステップＳ６〜Ｓ１２の動作が繰り返し行われ、全行分の印字が終了したときに装置の印字動作が終了する。従って、この分割印字の設定状態においては、図５（ｂ）に示すように、リスト情報が複数のＡ５サイズの記録紙Ｐ２上に分割されて、文字サイズを縮小することなく印字される。
【００２１】
一方、前記ステップＳ５の判別において、リスト情報を分割することなく縮小して印字する態様が設定されている場合には、操作キー９ａによる設定が、リスト情報を９０度回転させて印字するか、回転させないで印字するかのいずれの設定状態にあるかが判別される（ステップＳ１３）。そして、リスト情報を回転させないで印字する態様が設定されている場合には、リスト文字コードテーブル３ａから横１行分の文字コードデータが取り出されて、１行文字コードバッファ３ｂに格納される（ステップＳ１４）。次に、１行文字コードバッファ３ｂにおける各文字のフォントの１ラインの画素データが、そのままの状態（４分の１に縮小した状態、即ち４倍に拡大しない状態）で、１ラインイメージバッファ３ｃに格納される（ステップＳ１５）。
【００２２】
その後、記録紙収納部８から記録部７にＡ５サイズの記録紙Ｐ２が給送され、図５（ｃ）に示すように、１ラインイメージバッファ３ｃの画素データに基づいて、この記録紙Ｐ２上に画素データ１ライン分の印字が行われる（ステップＳ１６）。そして、１行文字コードバッファ３ｂにおける文字コードの１行分の印字が終了したか否かが判別され（ステップＳ１７）、１行分の印字が終了するまではステップＳ１５〜Ｓ１７の動作が繰り返し行われる。
【００２３】
次に、リスト文字コードテーブル３ａにおける全行分の印字が終了したか否かが判別され（ステップＳ１８）、全行分の印字が終了するまではステップＳ１４〜Ｓ１８の動作が繰り返し行われる。そして、全行分の印字が終了したときに、装置の印字動作が終了する。従って、この非回転印字の設定状態においては、図５（ｃ）に示すように、リスト情報が１枚のＡ５サイズの記録紙Ｐ２上に、文字サイズを４分の１に縮小した状態で印字される。
【００２４】
さらに、前記ステップＳ１３の判別において、リスト情報を９０度回転させて印字する態様が設定されている場合には、リスト文字コードテーブル３ａから縦１列分の文字コードデータが取り出されて、１行文字コードバッファ３ｂに格納される（ステップＳ１９）。次に、１行文字コードバッファ３ｂにおける各文字のフォントの縦１ライン分の画素データが２倍にされて、１ラインイメージバッファ３ｃに格納される（ステップＳ２０）。
【００２５】
その後、記録紙収納部８から記録部７にＡ５サイズの記録紙Ｐ２が給送され、図５（ｄ）に示すように、１ラインイメージバッファ３ｃの画素データに基づいて、この記録紙Ｐ２上に画素データ１ライン分の印字が９０度回転させた状態で行われる（ステップＳ２１）。そして、１行文字コードバッファ３ｂにおける文字コードの１列分の印字が終了したか否かが判別され（ステップＳ２２）、１列分の印字が終了するまではステップＳ２０〜Ｓ２２の動作が繰り返し行われる。
【００２６】
次に、リスト文字コードテーブル３ａにおける全列分の印字が終了したか否かが判別され（ステップＳ２３）、全列分の印字が終了するまではステップＳ１９〜Ｓ２３の動作が繰り返し行われる。そして、全列分の印字が終了したときに、装置の印字動作が終了する。従って、この回転印字の設定状態においては、図５（ｄ）に示すように、リスト情報がその縦列順に１枚のＡ５サイズの記録紙Ｐ２上に対して、文字サイズを２分の１に縮小するとともに９０度回転させた状態で印字される。
【００２７】
以上のように、この実施例のファクシミリ装置においては、リスト情報を縮小して印字する態様を予め設定しておけば、リスト情報を印字する際に、小さい記録紙しか収納されていない場合でも、リスト情報の全内容を１枚の記録紙上に、縮小した状態で印字することができる。従って、複数の記録紙を必要とせず、記録紙の節約を図ることができるとともに、文字間隔や行間隔を狭くして文字を密集させるわけではないので、１枚の記録紙上においてリスト情報の確認を容易に行うことができる。
【００２８】
さらに、この実施例のファクシミリ装置においては、リスト情報を９０度回転させて印字する態様を予め設定しておけば、リスト情報を小さな記録紙上に縮小して印字する際に、リスト情報を１枚の記録紙上に、縮小率をそれほど大きくすることなく印字することができる。従って、小さな記録紙であっても、その記録領域を有効に利用して、リスト情報を見やすい状態で印字することができる。
【００２９】
なお、この発明は、次のように変更して具体化することも可能である。
（１）リスト情報を縮小させることなく、９０度回転させた状態で記録紙上に印字できるように構成すること。即ち、リスト情報の縦、横の幅が小さい場合には、大きな記録紙への印字は同記録紙の無駄であるが、このように構成すれば、リスト情報の全内容を小さな記録紙上に印字できるため、記録紙の有効利用に繋がる。
【００３０】
（２）リスト情報の縮小の有無または９０度回転の有無をスイッチ等により手動設定できるように構成すること。
（３）記録紙のサイズデータを手動により入力できるように構成すること。
【００３１】
（４）印字における縮小率を３段階以上に設定できるように構成すること。
（５）リスト情報をＡ５サイズの記録紙上に９０度回転させることなく、副走査方向にのみ２分の１に縮小して印字すること。この場合には、リスト情報をＡ５サイズの記録紙上に２分の１に縮小し且つ９０度回転させた状態で印字する場合と比較して処理が簡単になり、印字速度を速くすることができる。
【００３２】
（６）リスト情報をレターサイズの記録紙（Ａ４サイズの記録紙と比較して長辺が３ｃｍ短く短辺がほぼ同じ）上に印字する場合には、リスト情報を回転させることなく副走査方向にのみ３ｃｍ分縮小して印字するようにすること。その他、印字に使用する記録紙のサイズに応じて、リスト情報を必要なだけ縮小したり回転させたりして、１枚の記録紙上に印字できるようにすること。
【００３３】
前記実施例から把握される請求項以外の技術的思想を以下に述べる。
（１）通信記録等のリスト情報を記憶する記憶手段と、記憶されたリスト情報のサイズ縮小有無を設定する第１設定手段と、記憶されたリスト情報の向きの９０度回転有無を設定する第２設定手段と、それらの設定に基づいてリスト情報を縮小してまたは縮小しないで、あるいは９０度回転させてまたは回転させないで記録紙上に印字させる制御手段とを備えたファクシミリ装置。
【００３４】
この場合、表示・操作部９により、第１及び第２設定手段が構成される。このように構成すれば、リスト情報の印字に際して記録紙サイズに応じた最適な態様を得ることができる。
【００３５】
（２）通信記録等のリスト情報を記憶する記憶手段と、リスト情報を９０度回転させて記録紙上に印字させる制御手段とを備えたファクシミリ装置。
このように構成すれば、リスト情報が行の配列方向に長く、かつ記録紙がその短辺側に沿って送られる横送りされるものであっても、その記録紙の紙面を有効に利用して印字できる。
【００３６】
【発明の効果】
以上述べたように、この発明は以下の効果を発揮する。
請求項１においては、リスト情報を１枚の記録紙上に、見やすい状態でまとめて印字することができる。
【００３７】
請求項２においては、センサにより所定サイズの記録紙の有無が検出され、その記録紙のサイズに応じて、印字の態様を自動的に設定することができる。
【図面の簡単な説明】
【図１】この発明のファクシミリ装置の一実施例を示す制御回路図。
【図２】ＲＯＭに格納された文字フォントの内容を例示する説明図。
【図３】ＲＡＭ中のリスト文字コードテーブルの内容を示す説明図。
【図４】リスト情報の印字動作を示すフローチャート。
【図５】記録紙に対するリスト情報の異なった印字状態を示す説明図。
【符号の説明】
１…制御手段としての制御装置を構成するＣＰＵ、２…ＲＯＭ、３…記憶手段としてのＲＡＭ、３ａ…リスト文字コードテーブル、７…記録部、８…記録紙収納部、８ａ，８ｂ…制御手段を構成するセンサ、９…第１設定手段及び第２設定手段を構成する表示・操作部、９ａ…操作キー。
【図１】
0003546493.tif 000002
【図２】
0003546493.tif 000003
【図３】
0003546493.tif 000004
【図４】
0003546493.tif 000005
【図５】
0003546493.tif 000006